(57)【要約】      （修正有）【課題】ステムの操作部の高さ寸法を低く設定することができる押釦スイッチの提供。【解決手段】内部にドーム状反転ばね６を含む接点部２が収容されるハウジング１と、このハウジング１の内部に配置されドーム状反転ばね６を押圧する押圧部７ａ、及びハウジング１の外部に突出し、外力が与えられる操作部７ｃを有するステム７と、ハウジング１に固定され、ステム７の操作部７ｃを突出させる開口８ａを有し、このステム７を抜け止めするフレーム８とを備え、フレーム８をハウジング１に固定するかしめ部１ｂを、フレーム８の開口８ａが形成される面部から突出させずに配置する斜面１ａをハウジング１の四隅に備えた。【選択図】      図５
2004335365.tif 000002
【特許請求の範囲】
【請求項１】
内部に可動接点を含む接点部が収容されるハウジングと、
このハウジングの内部に配置され上記接点部の上記可動接点を押圧する押圧部、及びハウジングの外部に突出し、外力が与えられる操作部を有するステムと、
上記ハウジングに固定され、上記ステムの上記操作部を突出させる開口を有し、このステムを抜け止めするフレームとを備えるとともに、
上記フレームを上記ハウジングに固定する固定部を、上記フレームの上記開口が形成される面部から突出させずに配置する所定の配置領域を上記ハウジングに備えたことを特徴とする押釦スイッチ。
【請求項２】
上記請求項１記載の発明において、
上記所定の配置領域が、上記ハウジングの側面から上面にわたって形成される斜面から成ることを特徴とする押釦スイッチ。
【請求項３】
上記請求項２記載の発明において、
上記フレームが、上記斜面に配置されるテーパ部を有することを特徴とする押釦スイッチ。
【請求項４】
上記請求項１記載の発明において、
上記所定の配置領域が、上記ハウジングに形成した凹部から成ることを特徴とする押釦スイッチ。
【請求項５】
上記請求項４記載の発明において、
上記フレームが、上記ハウジングの上記凹部に配置される段差部を有することを特徴とする押釦スイッチ。
【請求項６】
上記請求項１記載の発明において、
上記ハウジングの平面視形状が四角形から成るとともに、この四角形の四隅のそれぞれに上記固定部を配置したことを特徴とする押釦スイッチ。
【請求項７】
上記請求項１記載の発明において、
上記固定部が、上記ハウジングに形成した凸部を変形させたかしめ部から成ることを特徴とする押釦スイッチ。
【請求項８】
上記請求項７記載の発明において、
上記フレームが、上記凸部が挿入される孔を有することを特徴とする押釦スイッチ。
【請求項９】
上記請求項１記載の発明において、
上記固定部が、上記フレームに形成され、上記ハウジングに打ち込まれる楔部から成ることを特徴とする押釦スイッチ。
【発明の詳細な説明】
【０００１】
【発明の属する技術分野】
本発明は、接点部が収容されるハウジングから突出する操作部を有するステムと、このステムを抜け止めするフレームとを有する押釦スイッチに関する。
【０００２】
【従来の技術】
この種の従来技術として、箱形ケースすなわちハウジング内に、外周固定接点、中央固定接点、及び可動接点を含む接点部を収容し、可動接点を押圧する押圧部と、ハウジングの外部に突出する操作部とを有する操作体、すなわちステムを備えた押釦スイッチがある。可動接点はドーム状に形成され、常時、外周固定接点に接触した状態に保持されている。
【０００３】
また、この押釦スイッチは、ステムの操作部を突出させる中央孔すなわち開口を有し、ハウジングに固定されてステムを抜け止めするカバー、すなわちフレームも備えている。このフレームは、固定部すなわち、かしめ部によってハウジングに固定されている。
【０００４】
ステムを押圧することにより、可動接点が中央固定接点に接触する。これによって可動接点を介して中央固定接点と外周固定接点とが導通し、スイッチオンとなる。また、ステムに対する押圧を解くと、可動接点が中央固定接点から離れる。これによって、中央固定接点と外周固定接点との間が遮断され、スイッチオフとなる（例えば、特許文献１参照。）。
【０００５】
上記かしめ部は、例えばハウジングに形成した凸部を、フレームに形成した孔に挿入させた状態で、凸部をポンチで叩打して変形させることによって形成される。したがって、このかしめ部は、フレームの上面に突出した形態になっている。
【０００６】
なお、ステムの操作部には、手操作されるキートップにより押圧力が与えられる。通常、キートップに当るステムの面部に比べて、ステムに当るキートップの面部の方が大きく設定されている。
【０００７】
【特許文献１】
特開平１１−６７００２号公報
（段落番号００１４、図１）
【０００８】
【発明が解決しようとする課題】
上述した従来技術は、キートップを押圧操作する際のキートップの下面と、フレーム上のかしめ部との干渉を避けるために、かしめ部の高さ寸法を見込んで、フレームから突出するステムの操作部の高さ寸法を設定しなければならず、このステムの操作部の高さ寸法が高くなる傾向にある。これに伴って上述した従来技術は、全体の高さ寸法が高くなりやすく、小型化が困難となる問題があった。
【０００９】
本発明は、上記した従来技術からなされたもので、その目的は、ステムの操作部の高さ寸法を低く設定することができる押釦スイッチを提供することにある。
【００１０】
【課題を解決するための手段】
上記目的を達成するために、本発明は、内部に可動接点を含む接点部が収容されるハウジングと、このハウジングの内部に配置され上記接点部の上記操作部を押圧する押圧部、及びハウジングの外部に突出し、外力が与えられる操作部を有するステムと、上記ハウジングに固定され、上記ステムの上記操作部を突出させる開口を有し、このステムを抜け止めするフレームとを備えるとともに、上記フレームを上記ハウジングに固定する固定部を、上記フレームの上記開口が形成される面部から突出させずに配置する所定の配置領域を上記ハウジングに備えたことを特徴としている。
【００１１】
このように構成した本発明は、フレームをハウジングに固定する固定部が、ハウジングの所定の配置領域に位置するので、固定部をハウジングの外形内に位置させることができる。これにより全体の横方向の寸法を、ハウジングの外形によって規定される最小寸法に維持できる。また、縦方向の寸法は、所定の配置領域に配置された固定部が、フレームの開口が形成される面部から突出することがないので、ステムの操作部を押圧するキートップと固定部との干渉を生じる虞がない。これに伴ってステムの操作部の高さ寸法を、固定部の高さ寸法に相当するだけ低い寸法に設定できる。
【００１２】
また本発明は、上記発明において、上記所定の配置領域が、上記ハウジングの側面から上面にわたって形成される斜面から成ることを特徴としている。
【００１３】
このように構成した本発明は、ハウジングの斜面の形状寸法を適宜に設定することにより、固定部をハウジングの側面及びフレームの開口が形成される面部から突出しないように確実に配置できる。
【００１４】
また本発明は、上記発明において、上記フレームが、上記斜面に配置されるテーパ部を有することを特徴としている。
【００１５】
このように構成した本発明は、フレームのテーパ部をハウジングの斜面に配置することにより、フレームをハウジングに密着させることができる。これによってフレームをハウジングに安定して固定できる。
【００１６】
また本発明は、上記発明において、上記所定の配置領域が、上記ハウジングに形成した凹部から成ることを特徴としている。
【００１７】
このように構成した本発明は、ハウジンクの凹部の形状寸法を適宜に設定することにより、固定部をハウジングの側面及びフレームの開口が形成される面部から突出しないように確実に配置できる。
【００１８】
また本発明は、上記発明において、上記フレームが、上記ハウジングの上記凹部に配置される段差部を有することを特徴としている。
【００１９】
このように構成した本発明は、フレームの段差部をハウジングの凹部に配置することにより、フレームをハウジングに密着させることができる。これによってフレームをハウジングに安定して固定できる。
【００２０】
また本発明は、上記発明において、上記ハウジングの平面視形状が四角形から成るとともに、この四角形の四隅のそれぞれに上記固定部を配置したことを特徴としている。
【００２１】
このように構成した本発明は、ハウジングの四隅においてフレームを固定してあることから、フレームを強固に固定できる。
【００２２】
また本発明は、上記発明において、上記固定部が、上記ハウジングに形成した凸部を変形させたかしめ部から成ることを特徴としている。
【００２３】
このように構成した本発明は、かしめ部によってフレームをハウジングに強固に固定できるとともに、かしめ部がハウジングと一体であるので、部品数の増加を招くことがない。
【００２４】
また本発明は、上記発明において、上記フレームが、上記凸部が挿入される孔を有することを特徴としている。
【００２５】
このように構成した本発明は、フレームの孔にハウジングの凸部が挿入されるようにフレームをハウジングに対して配置した状態で、凸部をポンチで叩打することにより、容易にかしめ部を形成できる。
【００２６】
また本発明は、上記発明において、上記固定部が、上記フレームに形成され、上記ハウジングに打ち込まれる楔部から成ることを特徴としている。
【００２７】
このように構成した本発明は、楔部によってフレームをハウジングに強固に固定できるとともに、楔部がフレームと一体であるので部品数の増加を招くことがない。
【００２８】
【発明の実施の形態】
以下，本発明の押釦スイッチの実施形態を図に基づいて説明する。
【００２９】
［第１実施形態］
図１〜６は、本発明の第１実施形態を示す図で、図１は斜視図、図２は平面図、図３は正面図、図４は図２のＡ１−Ａ１断面図、図５は図２のＢ１−Ｂ１断面図である。また、図６は本発明の第１実施形態に備えられるフレームを示す図で、（ａ）図は平面図、（ｂ）図は側面図、（ｃ）図は正面図である。
【００３０】
この第１実施形態は、基体を構成し平面視の形状が四角形から成るハウジング１を備え、図４，５に示すように、ハウジング１内に接点部２を備えている。ハウジング１の四隅のそれぞれには、側面から上面にわたって形成される斜面１ａを有する。上述の接点部２は、外周固定接点３，中央固定接点４、可動接点５、及びドーム状反転ばね６を含んでいる。ドーム状反転ばね６はゴムから成り、常時、外周固定接点３と可動接点５の外周とが接触するように挟み込む外周部６ａと、選択的に可動接点５に接触する突起部６ｂとを備えている。また、可動接点５は中央付近が舌片状に切り起こされた金属板ばねから成り、この舌片部が中央固定接点４と接離可能に対向している。
【００３１】
このドーム状反転ばね６上には、ステム７を配置してある。同図４，５に示すように、このステム７はハウジング１の内部に配置され、ドーム状反転ばね６を押圧する押圧部７ａと、周側部に形成された係合部７ｂと、外力が与えられる操作部７ｃとを備えている。
【００３２】
また、ハウジング１の上面には、ハウジング１に固定され、ステム７を抜け止めするフレーム８を配置してある。このフレーム８は、図６に示すように、平面視の形状が四角形に形成され、ステム７の操作部７ｃを突出させる開口８ａと、四隅のそれぞれに形成したテーパ部８ｂと、これらのテーパ部８ｂに形成した孔８ｃを備えている。
【００３３】
上述したステム７の係合部７ｂがフレーム７の下面に係合することにより、ステム７は抜け止めされる。
【００３４】
図１，３，５等に示すように、フレーム８の四隅に形成したテーパ部８ｂのそれぞれが、ハウジング１の四隅に形成した斜面１ａのそれぞれに適合するように、フレーム８をハウジング１上に配置した状態で、四隅に形成した固定部、例えばかしめ部１ｂによって、フレーム８がハウジング１に固定されている。
【００３５】
図７〜１０は、上述の第１実施形態の製作途中の状態を示す図で、図７は平面図、図８は正面図、図９は図７のＡ２−Ａ２断面図、図１０は図７のＢ２−Ｂ２断面図である。
【００３６】
これらの図７〜１０に示すように、ハウジング１の四隅に位置する斜面１ａのそれぞれには、凸部１ｃが一体に形成されている。これらの凸部１ｃがフレーム８の孔８ｃのそれぞれに挿入されるようにフレーム８をハウジング１に配置した状態で、先端がテーパ状のポンチによって凸部１ｃのそれぞれが叩打される。これにより、図１，５等に示すように凸部１ｃのそれぞれが変形し、上述の固定部を構成するかしめ部１ｂが形成される。
【００３７】
上述のように、この第１実施形態は、フレーム８をハウジング１に固定する固定部すなわち、かしめ部１ｂを、フレーム８の開口８ａが形成される面部から突出させずに配置する所定の配置領域、例えば斜面１ａをハウジング１に備えた構成にしてある。
【００３８】
この第１実施形態は、図示しないキートップを手操作で押圧すると、図４，５等に示すステム７の操作部７ｃが押されて、ステム７が下方に移動し、ドーム状反転ばね６が撓み、その突起部６ｂが可動接点５の舌片部に接触する。これによって可動接点５を介して中央固定接点４と外周固定接点３とが導通し、スイッチオンとなる。また、ステム７に対する押圧を解くと、ドーム状反転ばね６、及び可動接点５の舌片部が自身の保有する弾性力により復帰し、可動接点５が中央固定接点４から離れる。これによって、中央固定接点４と、外周固定接点３との間が遮断され、スイッチオフとなる。
【００３９】
なお、ドーム状反転ばね６が復帰する際に、上方に押し戻されたステム７の係合部７ｂが、フレーム８の開口８ａが形成されている面部の裏面に係合する。これによりステム７が抜け止めされる。
【００４０】
このように構成した第１実施形態によれば、フレーム８をハウジング１に固定するかしめ部１ｂが、ハウジング１に形成した斜面１ａに、すなわちハウジング１の外形内に位置するので、全体の横方向の寸法を、ハウジング１の外形によって規定される最小寸法に維持できる。また、縦方向の寸法は、かしめ部１ｂがフレーム８の開口８ａが形成される面部から上に突出することがないので、ステム７の操作部７ｃを押圧する図示しないキートップと、固定部を構成するかしめ部１ｂとの干渉を生じる虞がない。これに伴って、ステム７の操作部７ｃの高さ寸法を、斜面１ａに直交する方向のかしめ部１ｂの高さ寸法に相当するだけ低い寸法に設定できる。これらにより、この押釦スイッチの小型化を実現させることができる。
【００４１】
なお、かしめ部１ｂの配置領域である斜面１ａの形状寸法を適宜に設定することにより、かしめ部１ｂをハウジング１の側面、及びフレーム８の開口８ａが形成される面部から突出しないように、確実に配置できる。
【００４２】
また、フレーム８のテーパ部８ｂをハウジング１の斜面１ａに配置することにより、フレーム８をハウジング１に密着させることができ、これによってフレーム８をハウジング１に安定して固定させることができ、構造上の信頼性を確保できる。
【００４３】
また、ハウジング１の四隅において、かしめ部１ｂによってフレーム８を固定したことから、フレーム８を強固に固定でき、これによっても構造上の信頼性を確保できる。
【００４４】
また、かしめ部１ｂのそれぞれがハウジング１と一体であるので、部品数の増加を招くことがなく、製作費を安くすることに貢献する。
【００４５】
また、図７〜１０に示したように、フレーム８の孔８ｃにハウジング１に形成した凸部１ｃが挿入されるようにフレーム８をハウジング１上に配置した状態で、凸部１ｃをポンチで叩打することにより容易にかしめ部１ｂを形成でき、このかしめ部１ｂすなわち固定部を形成する作業が簡単である。
【００４６】
なお、上記した本発明の第１実施形態の説明においては、ドーム状反転ばね６と固定接点３，４との間に金属板から成る可動接点５を配置するもので説明したが、これに代えて、可動接点をドーム状反転ばね６に一体に形成し、中央固定接点４を一対設けて、接点部２を構成してもよい。また、ドーム状反転ばね６を導電性ゴムで形成し、外周部６ａを外周固定接点３に常時接触させ、突起部６ｂを中央固定接点４と接離させるように構成してもよい。
【００４７】
［第２実施形態］
図１１〜１４は本発明の第２実施形態を示す図で、図１１は平面図、図１２は正面図、図１３は図１１のＡ３−Ａ３断面図、図１４は図１１のＢ３−ｂ３断面図である。
【００４８】
この第２実施形態は、フレーム８をハウジング１に固定させる固定部が、ハウジング１に一体に形成した凸部を先端が平坦なポンチで変形させたかしめ部１ｄから成っている。かしめ部１ｄの上面は例えば、開口８ａが形成されるフレーム８の面部と面一に設定してある。その他の構成は、前述した図１〜６に示す第１実施形態と同等である。
【００４９】
このように構成した第２実施形態も、かしめ部１ｄを、ハウジング１の側面および開口８ａが形成されるフレーム８の面部から突出しないように所定の配置領域である斜面１ａに配置でき、これにより上述の第２実施形態と同等の作用効果が得られる。
【００５０】
［第３実施形態］
図１５〜１８は本発明の第３実施形態を示す図で、図１５は平面図、図１６は正面図、図１７は図１５のＡ４−Ａ４断面図、図１８は図１５のＢ４−Ｂ４断面図である。
【００５１】
この第３実施形態は、ハウジング１の四隅のそれぞれに凹部１ｅを形成してあるとともに、フレーム８が四隅のそれぞれに、凹部１ｅに配置される段差部８ｄを備えている。
【００５２】
ハウジング１の凹部１ｅのそれぞれにフレーム８の段差部８ｄが配置された状態で、これらの段差部８ｄに形成された孔に、ハウジング１と一体に形成した凸部がそれぞれ挿入され、これらの凸部をポンチで叩打することによって、固定部すなわち、かしめ部１ｆが形成される。
【００５３】
この第３実施形態は、ハウジング１の凹部１ｅが、かしめ部１ｆの所定の配置領域を構成している。
【００５４】
すなわち、この第３実施形態も、フレーム８をハウジング１に固定する固定部すなわち、かしめ部１ｆを、フレーム８の開口８ａが形成される面部から突出させずに配置する所定の配置領域を、凹部１ｅによって構成させてある。その他の構成は、上述した第１実施形態と例えば同等である。
【００５５】
この第３実施形態も、ハウジング１の凹部１ｅの形状寸法を適宜に設定することにより、フレーム８をハウジング１に固定するかしめ部１ｆを、ハウジング１の側面、及びフレーム８の開口８ａが形成される面部から突出しないように、確実に配置でき、上述の第１実施形態と同等の作用効果が得られる。
【００５６】
また、フレーム８の段差部８ｄをハウジング１の凹部１ｅに配置することにより、フレーム８をハウジング１に密着させることができ、これによってフレーム８をハウジング１に安定して固定させることができ、構造上の信頼性を確保できる。
【００５７】
［第４実施形態］
図１９は本発明の第４実施形態を示す斜視図である。図２０は、本発明の第４実施形態に備えられるフレームを示す図で、（ａ）図は平面図、（ｂ）図は側面図、（ｃ）図は正面図である。
【００５８】
この第４実施形態は、ハウジング１の上面の四つの隅部１ｇのそれぞれが、フレーム８をハウジング１に固定する固定部の所定の配置領域を構成している。また、上述の固定部が、図２０に示すように、フレーム８の四隅に形成され、ハウジング１の隅部１ｇのそれぞれに打ち込まれる楔部８ｅから成っている。その他の構成は、上述した第１実施形態と例えば同等である。
【００５９】
このように構成した第４実施形態も、フレーム８をハウジング１に固定する楔部８ｅのそれぞれを、ハウジング１の隅部１ｇのそれぞれに打ち込んだ構成にしてあることから、楔部８ｅがフレーム８の開口８ａが形成される面部から突出することがなく、上述した第１実施形態と同等の作用効果が得られる。
【００６０】
また、楔部８ｅのそれぞれがフレーム８と一体であるので、部品数の増加を招くことがない。これによって製作費を安くすることに貢献する。
【００６１】
【発明の効果】
以上のように本発明は、フレームをハウジングに固定する固定部を、フレームの開口が形成される面部から突出させずに配置する所定の配置領域をハウジングに備えた構成にしてあることから、従来に比べて固定部の高さ寸法に相当する寸法だけステムの操作部の高さ寸法を低く設定することができ、従来では困難であった全体の小型化を容易に実現させることができる。
【図面の簡単な説明】
【図１】本発明の押釦スイッチの第１実施形態を示す斜視図である。
【図２】本発明の第１実施形態の平面図である。
【図３】本発明の第１実施形態の正面図である。
【図４】図２のＡ１−Ａ１断面図である。
【図５】図２のＢ１−Ｂ１断面図である。
【図６】本発明の第１実施形態に備えられるフレームを示す図で、（ａ）図は平面図、（ｂ）図は側面図、（ｃ）図は正面図である。
【図７】本発明の第１実施形態の製作途中の状態を示す平面図である。
【図８】本発明の第１実施形態の製作途中の状態を示す正面図である。
【図９】図７のＡ２−Ａ２断面図である。
【図１０】図７のＢ２−Ｂ２断面図である。
【図１１】本発明の第２実施形態を示す平面図である。
【図１２】本発明の第２実施形態を示す正面図である。
【図１３】図１１のＡ３−Ａ３断面図である。
【図１４】図１１のＢ３−Ｂ３断面図である。
【図１５】本発明の第３実施形態を示す平面図である。
【図１６】本発明の第３実施形態を示す正面図である。
【図１７】図１５のＡ４−Ａ４断面図である。
【図１８】図１５のＢ４−Ｂ４断面図である。
【図１９】本発明の第４実施形態を示す斜視図である。
【図２０】本発明の第４実施形態に備えられるフレームを示す図で、（ａ）図は平面図、（ｂ）図は側面図、（ｃ）図は正面図である。
【符号の説明】
１    ハウジング
１ａ  斜面（所定の配置領域）
１ｂ  かしめ部（固定部）
１ｃ  凸部
１ｄ  かしめ部（固定部）
１ｅ  凹部（所定の配置領域）
１ｆ  かしめ部（固定部）
１ｇ  隅部（所定の配置領域）
２    接点部
３    外周固定接点
４    中央固定接点
５    可動接点
６    ドーム状反転ばね
６ａ  外周部
６ｂ  突起部
７    ステム
７ａ  押圧部
７ｂ  係合部
７ｃ  操作部
８    フレーム
８ａ  開口
８ｂ  テーパ部
８ｃ  孔
８ｄ  段差部
８ｅ  楔部（固定部）
【図１】
2004335365.tif 000003
【図２】
2004335365.tif 000004
【図３】
2004335365.tif 000005
【図４】
2004335365.tif 000006
【図５】
2004335365.tif 000007
【図６】
2004335365.tif 000008
【図７】
2004335365.tif 000009
【図８】
2004335365.tif 000010
【図９】
2004335365.tif 000011
【図１０】
2004335365.tif 000012
【図１１】
2004335365.tif 000013
【図１２】
2004335365.tif 000014
【図１３】
2004335365.tif 000015
【図１４】
2004335365.tif 000016
【図１５】
2004335365.tif 000017
【図１６】
2004335365.tif 000018
【図１７】
2004335365.tif 000019
【図１８】
2004335365.tif 000020
【図１９】
2004335365.tif 000021
【図２０】
2004335365.tif 000022